(57)【要約】 【課題】基板を収容するための基板ケースを容易に構成することができるとともに、不正行為の痕跡を容易かつ確実に発見することができる遊技機を提供する。【解決手段】第１ケース体４１と第２ケース体４２とが接合して基板ケース２４が未開封となる状態では、収容部１２０の開口が閉塞部４２ａにより閉塞されて着色物１２２が収容部１２０から漏出せず、第１ケース体４１と第２ケース体４２とが相対的にスライドして基板ケース２４が開封されるときに、収容部１２０の着色物１２２が第１ケース体４１又は／及び第２ケース体４２に付着可能になる。【選択図】      図１３
2013121405.tif 000002
【特許請求の範囲】
【請求項１】
基板と、
前記基板を収容する基板ケースと、
前記基板ケースの開封痕跡を付与する開封痕跡付与手段と、
を有する遊技機であって、
前記基板ケースは、第１ケース体と第２ケース体とを接合させた状態でその内部空間に前記基板を収容するものであり、
前記開封痕跡付与手段は、前記第１ケース体又は／及び前記第２ケース体に対する着色により前記基板ケースの開封痕跡を示すものであり、
前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部の開口を閉塞して前記着色物の漏出を防止する閉塞部と、を有し、
前記第１ケース体と前記第２ケース体とが接合して前記基板ケースが未開封となる状態では、前記収容部の開口が前記閉塞部により閉塞されて前記着色物が前記収容部から漏出せず、
前記第１ケース体と前記第２ケース体とが相対的にスライドして前記基板ケースが開封されるときに、前記収容部の前記着色物が前記第１ケース体又は／及び前記第２ケース体に付着可能になることを特徴とする遊技機。
【請求項２】
基板と、
前記基板を収容する基板ケースと、
前記基板ケースの開封痕跡を付与する開封痕跡付与手段と、
を有する遊技機であって、
前記基板ケースは、第１ケース体と第２ケース体とを接合させた状態でその内部空間に前記基板を収容するものであり、
前記開封痕跡付与手段は、前記第１ケース体又は／及び前記第２ケース体に対する着色により前記基板ケースの開封痕跡を示すものであり、
前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部を貫通し当該収容部の内部に進入する貫通部と、を有し、
前記第１ケース体と前記第２ケース体とが接合して前記基板ケースが未開封となる状態では、前記貫通部が前記収容部を貫通して当該収容部の内部に進入した状態を維持することにより前記着色物の前記収容部からの漏出を防止し、
前記第１ケース体と前記第２ケース体とが相対的にスライドして前記基板ケースが開封されるときに、前記貫通部が前記収容部から引き抜かれて前記着色物が前記収容部から漏出し前記第１ケース体又は／及び前記第２ケース体に付着可能になることを特徴とする遊技機。
【請求項３】
基板と、
前記基板を収容する基板ケースと、
前記基板ケースの開封痕跡を付与する開封痕跡付与手段と、
を有する遊技機であって、
前記基板ケースは、第１ケース体と第２ケース体とを接合させた状態でその内部空間に前記基板を収容するものであり、
前記開封痕跡付与手段は、前記第１ケース体又は／及び前記第２ケース体に対する着色により前記基板ケースの開封痕跡を示すものであり、
前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部を貫通し当該収容部の内部に進入する突部と、を有し、
前記収容部は、前記着色物が外部に流出させるための流出孔と、前記流出孔を閉塞する栓部材と、を有し、
前記第１ケース体と前記第２ケース体とが接合するときに、前記突部が前記栓部材を押圧して前記流出孔から離脱させ、
前記第１ケース体と前記第２ケース体とが接合して前記基板ケースが未開封となる状態では、前記突部が前記流出孔から当該収容部の内部に進入した状態を維持することにより前記着色物の前記流出孔からの漏出を防止し、
前記第１ケース体と前記第２ケース体とが相対的にスライドして前記基板ケースが開封されるときに、前記突部が前記流出孔から引き抜かれて前記着色物が前記流出孔から漏出し前記第１ケース体又は／及び前記第２ケース体に付着可能になることを特徴とする遊技機。
【請求項４】
基板と、
前記基板を収容する基板ケースと、
前記基板ケースの開封痕跡を付与する開封痕跡付与手段と、
を有する遊技機であって、
前記基板ケースは、第１ケース体と第２ケース体とを接合させた状態でその内部空間に前記基板を収容するものであり、
前記開封痕跡付与手段は、前記第１ケース体又は／及び前記第２ケース体に対する着色により前記基板ケースの開封痕跡を示すものであり、
前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部の開口を閉塞して前記着色物の漏出を防止する閉塞部と、を有し、
前記第１ケース体と前記第２ケース体とが接合して前記基板ケースが未開封となる状態では、前記収容部の開口が前記閉塞部により閉塞されて前記着色物が前記収容部から漏出せず、
前記第１ケース体と前記第２ケース体とが上下方向に沿って相互に離間するように移動して前記基板ケースが開封されるときに、前記収容部の前記着色物が前記第１ケース体又は／及び前記第２ケース体に付着可能になることを特徴とする遊技機。
【請求項５】
基板と、
前記基板を収容する基板ケースと、
前記基板ケースの開封痕跡を付与する開封痕跡付与手段と、
を有する遊技機であって、
前記基板ケースは、第１ケース体と第２ケース体とを接合させた状態でその内部空間に前記基板を収容するものであり、
前記開封痕跡付与手段は、前記第１ケース体又は／及び前記第２ケース体に対する着色により前記基板ケースの開封痕跡を示すものであり、
前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部を貫通し当該収容部の内部に進入する貫通部と、を有し、
前記第１ケース体と前記第２ケース体とが接合して前記基板ケースが未開封となる状態では、前記貫通部が前記収容部を貫通して当該収容部の内部に進入した状態を維持することにより前記着色物の前記収容部からの漏出を防止し、
前記第１ケース体と前記第２ケース体とが上下方向に沿って相互に離間するように移動して前記基板ケースが開封されるときに、前記貫通部が前記収容部から引き抜かれて前記着色物が前記収容部から漏出し前記第１ケース体又は／及び前記第２ケース体に付着可能になることを特徴とする遊技機。
【請求項６】
基板と、
前記基板を収容する基板ケースと、
前記基板ケースの開封痕跡を付与する開封痕跡付与手段と、
を有する遊技機であって、
前記基板ケースは、第１ケース体と第２ケース体とを接合させた状態でその内部空間に前記基板を収容するものであり、
前記開封痕跡付与手段は、前記第１ケース体又は／及び前記第２ケース体に対する着色により前記基板ケースの開封痕跡を示すものであり、
前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部を貫通し当該収容部の内部に進入する突部と、を有し、
前記収容部は、前記着色物が外部に流出させるための流出孔と、前記流出孔を閉塞する栓部材と、を有し、
前記第１ケース体と前記第２ケース体とが接合するときに、前記突部が前記栓部材を押圧して前記流出孔から離脱させ、
前記第１ケース体と前記第２ケース体とが接合して前記基板ケースが未開封となる状態では、前記突部が前記流出孔から当該収容部の内部に進入した状態を維持することにより前記着色物の前記流出孔からの漏出を防止し、
前記第１ケース体と前記第２ケース体とが上下方向に沿って相互に離間するように移動して前記基板ケースが開封されるときに、前記突部が前記流出孔から引き抜かれて前記着色物が前記流出孔から漏出し前記第１ケース体又は／及び前記第２ケース体に付着可能になることを特徴とする遊技機。
【請求項７】
基板と、
前記基板を収容する基板ケースと、
前記基板ケースの開封痕跡を付与する開封痕跡付与手段と、
を有する遊技機であって、
前記基板ケースは、第１ケース体と第２ケース体とを接合させた状態でその内部空間に前記基板を収容するものであり、
前記開封痕跡付与手段は、前記第１ケース体又は／及び前記第２ケース体に対する着色により前記基板ケースの開封痕跡を示すものであり、
前記開封痕跡付与手段は、前記第１ケース体と前記第２ケース体とを相互に締結するかしめ部と、前記かしめ部に収容される着色物と、を有し、
前記かしめ部により前記第１ケース体と前記第２ケース体とを相互に締結するときに、前記着色物が前記かしめ部から出現せず、
前記かしめ部の一部が切断されて前記基板ケースが開封されるときに、前記着色物が前記かしめ部から出現して前記第１ケース体又は／及び前記第２ケース体に付着可能になることを特徴とする遊技機。
【請求項８】
前記かしめ部は、前記かしめ部の一部が加圧により変形して前記第１ケース体と前記第２ケース体とを相互に締結するものであることを特徴とする請求項７に記載の遊技機。
【請求項９】
前記かしめ部は、前記かしめ部の一部が加圧及び加熱により変形して前記第１ケース体と前記第２ケース体とを相互に締結するものであることを特徴とする請求項７に記載の遊技機。
【請求項１０】
前記着色物は、収容部材に充填された状態で前記かしめ部に収容されることを特徴とする請求項７乃至９のいずれか１項に記載の遊技機。
【発明の詳細な説明】
【技術分野】
【０００１】
本発明は、パチンコ機やスロットマシンなどの遊技機に関する。
【背景技術】
【０００２】
従来のパチンコ機の中には、例えば、当該パチンコ機の外殻を形成し遊技場（ホール）の遊技島に固定される外枠と、当該外枠の正面視での左端側を開閉軸として外枠に対して開閉可能に支持される内枠と、当該内枠の略中央に形成された開口に遊技領域が位置するように取り付けられる遊技盤と、当該内枠の正面視での左端側を開閉軸として内枠に対して開閉可能に支持され遊技領域を視認するための視認窓を有する前面扉と、を備えたものがある。
【０００３】
前記遊技盤は、その裏面側に所定の遊技に関する制御を行う制御基板を有する基板ユニットを備えている。当該基板ユニットには、第１ケースと第２ケースとを合わせた状態でのその内部空間に前記制御基板を収容する基板ケースと、前記基板ケースの開封痕跡を残す開封痕跡付与手段と、が設けられている。
【０００４】
ここで、開封痕跡付与手段の一例として、有色または流出後に有色化する所定の液体を収容した液体収容体と、当該液体収容体を収容する穴であって第１ケースと第２ケースとの合わせ面箇所で当該合わせ面に向けて開口した収容穴と、を備えるとともに、第１ケースと第２ケースとを開封することで収容穴に収容された液体収容体が切断され、当該液体収容体から液体が流出して基板ケースに付着するものがある（下記特許文献１参照）。
【先行技術文献】
【特許文献】
【０００５】
【特許文献１】特開２００８−１９４３８３号公報
【発明の概要】
【発明が解決しようとする課題】
【０００６】
上記先行技術では、液体収容体としてのインクカプセルが収容穴に収容された後で当該収容穴を閉塞部材で閉塞する態様（図１７（ｂ）参照）や、収容穴の一部に切断刃部を予め形成しておき第１ケースと第２ケースとを相対的に水平方向に沿ってスライドさせたときにインクカプセルが切断刃部によって切断される態様（図１８（ｂ）参照）が採用されている。
【０００７】
しかしながら、特許文献１の図１７（ｂ）に示す態様では、インクカプセルが第１ケース側の収納穴と第２ケース側の収容穴に跨る様に収納穴を形成し閉塞部材で収納穴の入口を閉塞する必要がある。これにより、第１ケース及び又は第２ケースの高い加工精度が要求されたり、部品点数が多くなる問題がある。また、閉塞部材をうまく取り外すことができれば、インクカプセルを取り出すことが可能になる。そして、インクカプセルを取り出すことができれば、不正行為を行ってもインクが外部に出ないため、不正行為の痕跡を認識することはできない。
【０００８】
また、特許文献１の図１８（ｂ）に示す態様では、収納穴の一部に切断刃部を形成しなければならず、第１ケース及び又は第２ケースの成形が困難になる（例えば、型による成形ではアンダーカットを回避する工夫が必要である）。また、収納穴には、インクカプセルの変形時にインクカプセルの変形部位を逃がすための窪み部が予め形成されている必要があり、窪み部の寸法設計精度や位置決め精度が高くなって第１ケース及び又は第２ケースの加工が一層困難になる問題がある。
【０００９】
そこで、本発明は、上記問題点に鑑み、基板を収容するための基板ケースを容易に構成することができるとともに、不正行為の痕跡を容易かつ確実に発見することができる遊技機を提供することを目的とする。
【課題を解決するための手段】
【００１０】
本発明は、基板と、前記基板を収容する基板ケースと、前記基板ケースの開封痕跡を付与する開封痕跡付与手段と、を有する遊技機であって、前記基板ケースは、第１ケース体と第２ケース体とを接合させた状態でその内部空間に前記基板を収容するものであり、前記開封痕跡付与手段は、前記第１ケース体又は／及び前記第２ケース体に対する着色により前記基板ケースの開封痕跡を示すものであり、前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部の開口を閉塞して前記着色物の漏出を防止する閉塞部と、を有し、前記第１ケース体と前記第２ケース体とが接合して前記基板ケースが未開封となる状態では、前記収容部の開口が前記閉塞部により閉塞されて前記着色物が前記収容部から漏出せず、前記第１ケース体と前記第２ケース体とが相対的にスライドして前記基板ケースが開封されるときに、前記収容部の前記着色物が前記第１ケース体又は／及び前記第２ケース体に付着可能になることを特徴とする。
【００１１】
本発明は、基板と、前記基板を収容する基板ケースと、前記基板ケースの開封痕跡を付与する開封痕跡付与手段と、を有する遊技機であって、前記基板ケースは、第１ケース体と第２ケース体とを接合させた状態でその内部空間に前記基板を収容するものであり、前記開封痕跡付与手段は、前記第１ケース体又は／及び前記第２ケース体に対する着色により前記基板ケースの開封痕跡を示すものであり、前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部を貫通し当該収容部の内部に進入する貫通部と、を有し、前記第１ケース体と前記第２ケース体とが接合して前記基板ケースが未開封となる状態では、前記貫通部が前記収容部を貫通して当該収容部の内部に進入した状態を維持することにより前記着色物の前記収容部からの漏出を防止し、前記第１ケース体と前記第２ケース体とが相対的にスライドして前記基板ケースが開封されるときに、前記貫通部が前記収容部から引き抜かれて前記着色物が前記収容部から漏出し前記第１ケース体又は／及び前記第２ケース体に付着可能になることを特徴とする。
【００１２】
本発明は、基板と、前記基板を収容する基板ケースと、前記基板ケースの開封痕跡を付与する開封痕跡付与手段と、を有する遊技機であって、前記基板ケースは、第１ケース体と第２ケース体とを接合させた状態でその内部空間に前記基板を収容するものであり、前記開封痕跡付与手段は、前記第１ケース体又は／及び前記第２ケース体に対する着色により前記基板ケースの開封痕跡を示すものであり、前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部を貫通し当該収容部の内部に進入する突部と、を有し、前記収容部は、前記着色物が外部に流出させるための流出孔と、前記流出孔を閉塞する栓部材と、を有し、前記第１ケース体と前記第２ケース体とが接合するときに、前記突部が前記栓部材を押圧して前記流出孔から離脱させ、前記第１ケース体と前記第２ケース体とが接合して前記基板ケースが未開封となる状態では、前記突部が前記流出孔から当該収容部の内部に進入した状態を維持することにより前記着色物の前記流出孔からの漏出を防止し、前記第１ケース体と前記第２ケース体とが相対的にスライドして前記基板ケースが開封されるときに、前記突部が前記流出孔から引き抜かれて前記着色物が前記流出孔から漏出し前記第１ケース体又は／及び前記第２ケース体に付着可能になることを特徴とする。
【００１３】
本発明は、基板と、前記基板を収容する基板ケースと、前記基板ケースの開封痕跡を付与する開封痕跡付与手段と、を有する遊技機であって、前記基板ケースは、第１ケース体と第２ケース体とを接合させた状態でその内部空間に前記基板を収容するものであり、前記開封痕跡付与手段は、前記第１ケース体又は／及び前記第２ケース体に対する着色により前記基板ケースの開封痕跡を示すものであり、前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部の開口を閉塞して前記着色物の漏出を防止する閉塞部と、を有し、前記第１ケース体と前記第２ケース体とが接合して前記基板ケースが未開封となる状態では、前記収容部の開口が前記閉塞部により閉塞されて前記着色物が前記収容部から漏出せず、前記第１ケース体と前記第２ケース体とが上下方向に沿って相互に離間するように移動して前記基板ケースが開封されるときに、前記収容部の前記着色物が前記第１ケース体又は／及び前記第２ケース体に付着可能になることを特徴とする。
【００１４】
本発明は、基板と、前記基板を収容する基板ケースと、前記基板ケースの開封痕跡を付与する開封痕跡付与手段と、を有する遊技機であって、前記基板ケースは、第１ケース体と第２ケース体とを接合させた状態でその内部空間に前記基板を収容するものであり、前記開封痕跡付与手段は、前記第１ケース体又は／及び前記第２ケース体に対する着色により前記基板ケースの開封痕跡を示すものであり、前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部を貫通し当該収容部の内部に進入する貫通部と、を有し、前記第１ケース体と前記第２ケース体とが接合して前記基板ケースが未開封となる状態では、前記貫通部が前記収容部を貫通して当該収容部の内部に進入した状態を維持することにより前記着色物の前記収容部からの漏出を防止し、前記第１ケース体と前記第２ケース体とが上下方向に沿って相互に離間するように移動して前記基板ケースが開封されるときに、前記貫通部が前記収容部から引き抜かれて前記着色物が前記収容部から漏出し前記第１ケース体又は／及び前記第２ケース体に付着可能になることを特徴とする。
【００１５】
本発明は、基板と、前記基板を収容する基板ケースと、前記基板ケースの開封痕跡を付与する開封痕跡付与手段と、を有する遊技機であって、前記基板ケースは、第１ケース体と第２ケース体とを接合させた状態でその内部空間に前記基板を収容するものであり、前記開封痕跡付与手段は、前記第１ケース体又は／及び前記第２ケース体に対する着色により前記基板ケースの開封痕跡を示すものであり、前記開封痕跡付与手段は、前記第１ケース体又は前記第２ケース体のいずれか一方に設けられた収容部と、前記収容部に収容された着色物と、前記第１ケース体又は前記第２ケース体のいずれか他方に設けられ前記収容部を貫通し当該収容部の内部に進入する突部と、を有し、前記収容部は、前記着色物が外部に流出させるための流出孔と、前記流出孔を閉塞する栓部材と、を有し、前記第１ケース体と前記第２ケース体とが接合するときに、前記突部が前記栓部材を押圧して前記流出孔から離脱させ、前記第１ケース体と前記第２ケース体とが接合して前記基板ケースが未開封となる状態では、前記突部が前記流出孔から当該収容部の内部に進入した状態を維持することにより前記着色物の前記流出孔からの漏出を防止し、前記第１ケース体と前記第２ケース体とが上下方向に沿って相互に離間するように移動して前記基板ケースが開封されるときに、前記突部が前記流出孔から引き抜かれて前記着色物が前記流出孔から漏出し前記第１ケース体又は／及び前記第２ケース体に付着可能になることを特徴とする。
【００１６】
本発明は、基板と、前記基板を収容する基板ケースと、前記基板ケースの開封痕跡を付与する開封痕跡付与手段と、を有する遊技機であって、前記基板ケースは、第１ケース体と第２ケース体とを接合させた状態でその内部空間に前記基板を収容するものであり、前記開封痕跡付与手段は、前記第１ケース体又は／及び前記第２ケース体に対する着色により前記基板ケースの開封痕跡を示すものであり、前記開封痕跡付与手段は、前記第１ケース体と前記第２ケース体とを相互に締結するかしめ部と、前記かしめ部に収容される着色物と、を有し、前記かしめ部により前記第１ケース体と前記第２ケース体とを相互に締結するときに、前記着色物が前記かしめ部から出現せず、前記かしめ部の一部が切断されて前記基板ケースが開封されるときに、前記着色物が前記かしめ部から出現して前記第１ケース体又は／及び前記第２ケース体に付着可能になることを特徴とする。
【００１７】
特に、前記かしめ部は、前記かしめ部の一部が加圧により変形して前記第１ケース体と前記第２ケース体とを相互に締結するものであることが好ましい。
【００１８】
特に、前記かしめ部は、前記かしめ部の一部が加圧及び加熱により変形して前記第１ケース体と前記第２ケース体とを相互に締結するものであることが好ましい。
【００１９】
特に、前記着色物は、収容部材に充填された状態で前記かしめ部に収容されることが好ましい。
【発明の効果】
【００２０】
本発明によれば、基板を収容するための基板ケースを容易に構成することができるとともに、不正行為の痕跡を容易かつ確実に発見することができる。
【図面の簡単な説明】
【００２１】
【図１】本発明の一実施形態を示すパチンコ機の全体正面図である。
【図２】本発明の一実施形態を示すパチンコ機の遊技盤の背面図である。
【図３】本発明の一実施形態を示すパチンコ機の集球ケース及び主基板ケースの分解斜視図である。
【図４】本発明の一実施形態を示すパチンコ機の基板ケースの第１ケース体及び第２ケース体の背面図である。
【図５】本発明の一実施形態を示すパチンコ機の基板ケースに設けられる封止係合部材の背面図及び側面図である。
【図６】本発明の一実施形態を示すパチンコ機の第１ケース体、第２ケース体、封止操作部材及び封止係合部材の要部拡大斜視図である。
【図７】本発明の一実施形態を示すパチンコ機の主基板ケースの結合手順を示す説明図である。
【図８】本発明の一実施形態を示すパチンコ機の主基板ケースの封止前後における側面断面図である。
【図９】本発明の一実施形態を示すパチンコ機の主基板ケースの封止後における背面断面図である。
【図１０】本発明の一実施形態を示すパチンコ機の主基板ケースの封止後における要部破断斜視図である。
【図１１】本発明の一実施形態を示すパチンコ機の主基板ケースの開封手順を示す側面断面図である。
【図１２】本発明の一実施形態を示すパチンコ機の主基板ケースの開封手順を示す背面断面図である。
【図１３】本発明の一実施形態を示すパチンコ機の基板ケースに設けられる開封痕跡付与手段の第１実施例の説明である。
【図１４】本発明の一実施形態を示すパチンコ機の基板ケースに設けられる開封痕跡付与手段の第２実施例の説明である。
【図１５】本発明の一実施形態を示すパチンコ機の基板ケースに設けられる開封痕跡付与手段の第３実施例の説明である。
【図１６】本発明の一実施形態を示すパチンコ機の基板ケースに設けられる開封痕跡付与手段の第４実施例の説明である。
【図１７】本発明の一実施形態を示すパチンコ機の基板ケースに設けられる開封痕跡付与手段の第５実施例の説明である。
【図１８】本発明の一実施形態を示すパチンコ機の基板ケースに設けられる開封痕跡付与手段の第６実施例の説明である。
【図１９】本発明の一実施形態を示すパチンコ機の基板ケースに設けられる開封痕跡付与手段の第７実施例の説明である。
【図２０】本発明の一実施形態を示すパチンコ機の基板ケースに設けられる開封痕跡付与手段の第８実施例の説明である。
【図２１】本発明の一実施形態を示すパチンコ機の基板ケースに施されるスピンかしめの説明である。
【図２２】本発明の一実施形態を示すパチンコ機の基板ケースに施されるハトメかしめの説明である。
【図２３】本発明の一実施形態を示すパチンコ機の基板ケースに施されるリベットかしめの説明である。
【図２４】本発明の一実施形態を示すパチンコ機の基板ケースに施されるバーリングかしめの説明である。
【図２５】本発明の一実施形態を示すパチンコ機の基板ケースに施されるダボかしめの説明である。
【発明を実施するための形態】
【００２２】
本発明の第１実施形態に係るパチンコ機について、図面を参照して説明する。本実施形態は、本発明をパチンコ機に適用した一例である。なお、以下に示すパチンコ機の構成は、本発明が適用された一例に過ぎないものであり、本発明の範囲が本実施形態のパチンコ機の構成に限定されるものではなく、例えば、スロットマシンにも適用可能である。  
【００２３】
第１実施形態では、基板ケースとして主制御基板を収容するための基板ケースを一例として挙げ、かつ、基板ケースを構成する第１ケース体と第２ケース体は、相互に水平方向に沿って相対移動（スライド）させて着脱可能なスライド式のものを一例として挙げ、説明する。なお、第１実施形態での説明における上下左右の方向については、特に基準を示さない限り、遊技機本体を前側から見た場合の上下左右をいうものとする。
【００２４】
図１において、遊技機は、遊技機本体１と、矩形状の外枠２と、この外枠２の前側に開閉自在に枢着された前枠３と、を備えている。前枠３は、左端側の上下一対のヒンジ４を介して外枠２に着脱及び開閉自在に装着されている。前枠３の上部側には、遊技盤５が例えば前側から着脱自在に装着される。遊技盤５の前側には、ガラス扉６が配置されている。ガラス扉６の下側には、前面開閉板７が配置されている。ガラス扉６及び前面開閉板７は、ヒンジ４と同一側のヒンジにより前枠３に開閉自在に枢支されている。前面開閉板７の前側には、例えば、発射手段８に供給するための遊技球を貯留する貯留皿９と、発射手段８を作動させるための発射ハンドル１０と、が設けられている。
【００２５】
遊技盤５の前側には、発射手段８により発射された遊技球を案内するガイドレール１１が環状に装着されている。ガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００２６】
また、遊技盤５の裏側には、図２に示すように、センターケース１４等の遊技部品を後側から覆う裏カバー２１と集球ケース２２とが上下に配置されている。集球ケース２２の背面側には、主制御基板２３が格納された主基板ケース２４が装着されている。裏カバー２１の背面側には、演出制御基板２５が格納された演出基板ケース２６と、液晶制御基板２７が格納された液晶基板ケース２８と、が着脱自在に装着されている。集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのものである。図３に示すように、集球ケース２２は、上面側と前面側とが開放した略箱形に形成されており、裏カバー２１の下側に近接して配置され、遊技盤５の裏側に着脱自在に固定されている。
【００２７】
図３に示すように、集球ケース２２の背面側の略中央には、主基板ケース２４を着脱自在に装着可能な主基板ケース装着部３１が設けられている。また、主基板ケース装着部３１の一側には、遊技盤５を前枠３側に装着したときに前枠３側のコネクタ（図示省略）に直接結合される遊技盤側コネクタ３２が複数配置されている。主基板ケース装着部３１は、集球ケース２２の背面側に設けられた装着開口部３３と、装着開口部３３の上下両縁側に沿って配置される装着レール３４と、主基板ケース２４の一端側を保持する第１保持手段３５と、第１保持手段３５により一端側が保持された主基板ケース２４の他端側を解除可能に保持する締結つまみ等よりなる第２保持手段３６と、を備えている。
【００２８】
（スライド式の基板ケースの一例）
主基板ケース装着部３１に装着される主基板ケース２４は、全体として扁平な略矩形状であって、図３に示すように、互いに嵌め合わせ可能な第１ケース体４１及び第２ケース体４２と、その外周側の一辺（例えば左端側）に沿って設けられた封止手段４３（図２参照）と、を有している。そして、主基板ケース２４内の空間は、図４等に示すように、封止手段４３に対応する封止領域２４ｂと、封止領域２４ｂ以外の基板格納領域２４ａとに区分されている。基板格納領域２４ａ内には、主制御基板２３が格納されている。
【００２９】
主制御基板２３は、矩形状であり、その一面側には、中央寄りの部分にＣＰＵ、ＲＯＭ、ＲＡＭ等の電子部品４６が配置されている。また、主制御基板２３の外縁部近傍には、複数のコネクタ４７が配置されると共に、位置決め孔４８及び固定孔４９（図３参照）が形成されている。
【００３０】
第２ケース体４２は、例えば透明な合成樹脂製であり、図３、図４、図６等に示すように、主制御基板２３の電子部品装着面２３ａ側に対向する上壁５１と、上壁５１の三辺（例えば上下辺及び右辺）に沿って主制御基板２３の裏面２３ｂ側に向けて延設された周壁５２〜５４と、を一体に備えている。主制御基板２３の裏面２３ｂ側に対応する面、及び外周側の残りの一方側（即ち左側）の面は、略全面が開放されて開口５５、５６を形成している。
【００３１】
上壁５１の内面側には、例えば左側の開口５６から所定距離内側（右周壁５４側）の位置に仕切り壁５７が右周壁５４と略平行に配置されている。仕切り壁５７は、主基板ケース２４内の空間を封止領域２４ｂと基板格納領域２４ａとに仕切るものであり、周壁５２〜５４と仕切り壁５７とで取り囲まれた領域が基板格納領域２４ａ、仕切り壁５７よりも開口５６側の領域が封止領域２４ｂとなっている。
【００３２】
上壁５１のうち、基板格納領域２４ａに対応する基板側上壁５１ａには、その内部に配置される主制御基板２３との間に電子部品４６の収容空間を確保できるように外向きに膨出する膨出部６１が形成されると共に、例えば周壁５２、５３、５４に沿って膨出部６１よりも低い段部６２が単数又は複数形成されている。段部６２には、主制御基板２３側のコネクタ４７が内側から嵌合するコネクタ嵌合孔６３が単数又は複数設けられている。主制御基板２３は、電子部品装着面２３ａを上壁５１側に向けた状態で第２ケース体４２の基板格納領域２４ａ内に嵌め込まれ、ねじ止め等により固定されている。
【００３３】
上壁５１のうち、封止領域２４ｂに対応する封止側上壁５１ｂは、例えば基板側上壁５１ａ側の膨出部６１と段部６２との間の高さに設けられており、その外周に沿って囲いリブ６４が外向きに所定高さで突設されている。封止側上壁５１ｂの周壁５２、５３側の両端部における開口５５側には、開口５６側に向けて封止側上壁５１ｂと略平行に突出する一対の係合突部６５が一体に設けられている。また、上下の周壁５２、５３には、その外面側に突出する係合爪６６が、開口５５側の縁部に沿って間欠的に複数設けられている。
【００３４】
第１ケース体４１は、例えば透明な合成樹脂製であり、図３、図４、図６等に示すように、第２ケース体４２の開口５５に対応する底壁７１と、第２ケース体４２の開口５６に対応して底壁７１の一辺（即ち左辺）から第２ケース体４２側に立設された側壁７２と、底壁７１の他の三辺（即ち上辺、下辺及び右辺）に沿って第２ケース体４２側に立設された嵌合壁７３〜７５と、を一体に備えている。第１ケース体４１を第２ケース体４２に嵌め合わせたとき、底壁７１及び側壁７２が第２ケース体４２側の開口５５、５６を略閉鎖すると共に、嵌合壁７３〜７５が第２ケース体４２側の周壁５２〜５４の外面側に嵌合するようになっている。
【００３５】
底壁７１には、第２ケース体４２側の上下の周壁５２、５３の内面側に沿う一対の案内壁７６、７７が、側壁７２の内面側から嵌合壁７５側に向けて上下の嵌合壁７３、７４の内側に平行に配置されている。案内壁７６、７７と嵌合壁７３、７４との間は、第２ケース体４２側の周壁５２、５３が摺動自在に嵌合する案内溝７８、７９となっている。
【００３６】
上下の嵌合壁７３，７４には、第２ケース体４２の係合爪６６が夫々係脱自在に係合可能な被係合部８０が設けられている。被係合部８０は、第２ケース体４２側の係合爪６６が嵌脱自在に嵌合する複数の切り欠き部８１と、案内溝７８、７９に沿って切り欠き部８１に対して例えば封止領域２４ｂとは反対側（右側）に隣接して設けられ且つ係合爪６６が係合する係止部８２と、を有している。係合爪６６を切り欠き部８１に嵌合させるように第２ケース体４２を第１ケース体４１に嵌め合わせ
（アンロック状態）、第２ケース体４２を第１ケース体４１に対して封止領域２４ｂとは反対側（右側）に向けて相対的にスライドさせたとき（以下、この方向を「開閉スライド方向」という）、係合爪６６が係止部８２に係合して、第１ケース体４１と第２ケース体４２とが互いに結合状態でロックされる（ロック状態）ようになっている。
【００３７】
側壁７２には、第２ケース体４２側の係合突部６５に対応する一対の被係合穴８３（図７、図９、図１０等）が形成されている。第１ケース体４１と第２ケース体４２とをアンロック状態に嵌め合わせる前に、図７に示すように、第２ケース体４２側の係合突部６５を被係合穴８３に差し込むことにより、係合突部６５が被係合穴８３に係合して第１ケース体４１、第２ケース体４２の開方向への移動を阻止するようになっている。さらに、第１ケース体４１の外周部には、主基板ケース装着部３１の第２保持手段３６が係脱自在に係合する被係合部８４が外向きに一体形成されている。
【００３８】
封止手段４３は、主基板ケース２４の封止領域２４ｂに対応して、第２ケース体４２の開口５６及び第１ケース体４１の側壁７２に沿って例えば一列状に複数組（ここでは２組）配置されている。各封止手段４３は、第２ケース体４２の封止側上壁５１ｂ上に一体に設けられ且つ主基板ケース２４の内外に貫通する筒状の封止案内枠９１と、第１ケース体４１、第２ケース体４２とは別体に形成され且つ封止案内枠９１内に装着される封止操作部材９２と、第１ケース体４１、第２ケース体４２及び封止操作部材９２とは別体に形成されて第１ケース体４１の内側に装着される封止係合部材９３と、第１ケース体４１の内面側に一体に設けられた第１被係合部９４及び第１規制部９５と、第２ケース体４２の内面側に一体に設けられた第２被係合部９６及び第２規制部９７と、を備えている。
【００３９】
封止案内枠９１は、主制御基板２３に垂直な方向（以下、この方向を「封止操作方向」という）に配置され、第２ケース体４２の封止側上壁５１ｂを内外に貫通するように一体に設けられており、図６、図８等に示すように、例えば開閉スライド方向に対向する一対の側枠板９１ａ，９１ｂと、開閉スライド方向に直交する方向に対向する前枠板９１ｃ及び後枠板９１ｄとで例えば略正方形の角筒状に形成されている。なお本実施形態では、２組の封止手段４３を構成する各１個の封止案内枠９１が、後枠板９１ｄを背中合わせにした状態で第２ケース体４２の開口５６に沿って所定間隔で配置されている。
【００４０】
また、封止案内枠９１の内面側には、軸方向、即ち封止操作方向のガイド溝９８が、例えば側枠板９１ａ、９１ｂに沿って設けられている。このガイド溝９８は、少なくともその内端部側が封止案内枠９１の端部（内端部）に達しておらず、それらガイド溝９８の内端部と封止案内枠９１の内端部との間には一定の溝欠落部９８ａが形成されている。更に、封止案内枠９１の内端部には、例えばガイド溝９８に対応する位置に、軸方向に凹入する切欠部９９が形成されている。即ち、ガイド溝９８と切欠部９９とは、一定長さの溝欠落部９８ａを挟んで封止操作方向の同一直線上に配置されている。
【００４１】
封止操作部材９２は、主基板ケース２４を封止する際の外部操作を受けてその力を封止係合部材９３側に伝達するものである。封止操作部材９２は、図５、図６、図８等に示すように、例えば封止案内枠９１の後枠板９１ｄ側が開放した略箱形に形成されている。封止操作部材９２は、一対の側壁面９２ａ、９２ｂを側枠板９１ａ、９１ｂの内面に、前壁面９２ｃを前枠板９１ｃの内面に沿わせ、外端面９２ｄで封止案内枠９１を軸方向に略閉鎖した状態で、封止案内枠９１内に軸方向摺動自在に装着されている。また、封止操作部材９２の内端面９２ｅと前壁面９２ｃとの間には、それらを斜めに接続する押圧傾斜面９２ｆが設けられている。押圧傾斜面９２ｆは、封止操作方向の内向きに対して、所定の封止実行方向側に傾斜するように設けられている。ここで、封止実行方向は、開閉スライド方向と封止操作方向との両方に直交する方向で、本実施形態では２つの封止案内枠９１の並び方向（図４における上下方向）が封止実行方向となっている。
【００４２】
封止操作部材９２の外面側には、封止案内枠９１側のガイド溝９８の内外両端部に対応して小さな略半球状に形成された第１突起１０１及び第２突起１０２と、切欠部９９に対応して設けられ且つ第１突起１０１及び第２突起１０２よりも大きく突出する係合突起１０３と、が側壁面９２ａ、９２ｂ上に一体に設けられている。封止操作部材９２は、封止案内枠９１内にその内端部側から挿入されるが、封止案内枠９１内の所定の「操作前位置」にきたとき（図８（ａ）の状態）、係合突起１０３が封止案内枠９１側の切欠部９９に係合してその軸方向外向きの移動が阻止され、主基板ケース２４の外側に抜き取ることはできないようになっている。この係合突起１０３が、操作前位置よりも外側への移動を阻止する抜け止め手段の一例である。
【００４３】
封止操作部材９２は、封止案内枠９１に挿入される際に、第１突起１０１及び第２突起１０２が側壁面９２ａ，９２ｂと共に弾性変形しつつ溝欠落部９８ａを順次乗り越えてガイド溝９８内に嵌合し、封止操作部材９２が操作前位置に達したとき、内端側の第１突起１０１がガイド溝９８の内端側に係脱可能に係合するようになっている。これにより、封止操作部材９２は軸方向外側だけでなく軸方向内側への移動も規制され、操作前位置（図８（ａ））に保持される。この第１突起１０１が、封止操作部材９２を操作前位置で保持する操作前位置保持手段の一例である。なお、封止操作部材９２は、操作前位置ではその外端面９２ｄが封止案内枠９１の外端部と略一致するようになっている。
【００４４】
このように、第１突起１０１がガイド溝９８の内端側に係合することによって操作前位置で保持される封止操作部材９２は、封止案内枠９１の外端側から内向きに押圧されることにより、第１突起１０１のガイド溝９８への係合が容易に解除され、封止案内枠９１内を軸方向内向きに摺動する。その際、第１突起１０１に続いて外端側の第２突起１０２も溝欠落部９８ａを乗り越え、例えば内端面９２ｅが第１ケース体４１の底壁７１に当接して封止操作部材９２の内側への移動が阻止されたとき（図８（ｂ）の上側の封止操作部材９２参照）（以下、この位置を「操作後位置」という）、第２突起１０２が封止案内枠９１の切欠部９９に係脱可能に係合するようになっている。これにより、封止操作部材９２は軸方向内側だけでなく軸方向外側への移動も規制され、操作後位置に保持される。この第２突起１０２が、封止操作部材９２を操作後位置で保持する操作後位置保持手段の一例である。
【００４５】
封止係合部材９３は、封止操作部材９２を経て入力された封止操作に基づいて第１ケース体４１と第２ケース体４２とを閉状態で封止するものである。封止係合部材９３は、図５、図６、図８、図９等に示すように、第１ケース体４１の底壁７１に沿う案内面９３ａと、封止操作部材９２側の押圧傾斜面９２ｆに対応する被押圧傾斜面９３ｂと、封止実行方向に沿って被押圧傾斜面９３ｂとは反対向きに突出する係合ピン１０４と、を一体に備えている。
【００４６】
案内面９３ａは、第１ケース体４１の底壁７１の内面側に摺接し、当該封止係合部材９３をその底壁７１に沿って案内するようになっている。なお、第１ケース体４１の底壁７１には、その内面側に僅かに突出する突条１０５が封止実行方向に沿って設けられており、案内面９３ａはこの突条１０５上に摺接するようになっている。
【００４７】
被押圧傾斜面９３ｂは、案内面９３ａの操作実行方向一端側から斜めに立ち上がっており、封止案内枠９１内に装着された封止操作部材９２の押圧傾斜面９２ｆに対して摺動自在に対向するように同一方向反対向きに設けられており、封止操作部材９２が操作前位置から操作後位置まで移動する際にその押圧傾斜面９２ｆに摺接してその押圧傾斜面９２ｆからの力を受けるようになっている。なお、封止係合部材９３は案内面９３ａが第１ケース体４１の底壁７１に摺接しているため、被押圧傾斜面９３ｂが押圧傾斜面９２ｆからの力を受けることにより封止係合部材９３は底壁７１に沿って封止実行方向に移動する（図８（ａ）→（ｂ））。
【００４８】
なお、押圧傾斜面９２ｆと被押圧傾斜面９３ｂとは、封止実行方向よりも封止操作方向寄りの傾斜角度となるように設けられている。図５に示すように、封止操作方向と、押圧傾斜面９２ｆ及び被押圧傾斜面９３ｂとのなす角をα、押圧傾斜面９２ｆ及び被押圧傾斜面９３ｂと封止実行方向とのなす角をβとすると、α＜β（但し、α＋β＝９０°）となっている。これにより、封止操作部材９２を操作前位置から操作後位置に向けて押圧操作することにより封止係合部材９３を移動させる際にはそれほど大きな力は要しないが、逆に封止係合部材９３を操作することにより封止操作部材９２を操作後位置から操作前位置に向けて移動させようとすると非常に大きな力が必要となる。
【００４９】
係合ピン（係合部）１０４は、例えば案内面９３ａの操作実行方向他端側から垂直に起立する前端面９３ｃから操作実行方向に向けて一体に突設されており、断面矩形状の軸部１０６と、軸部１０６の先端側に設けられた圧入先端部１０７と、を備えている。圧入先端部１０７は、その後端側が軸部１０６よりも幅広で、先端側が軸部１０６よりも幅狭の例えば略台形状に形成されている。
【００５０】
なお、本実施形態では、２組の封止手段４３を構成する各１個の封止係合部材９３が１つの連結部材１０８により一体に連結されている。即ち、２つの封止係合部材９３は、図５等に示すように係合ピン１０４が互いに反対向きとなるように背中合わせで配置され、それらの間に配置された連結部材１０８に対して低強度連結部１０９を介して一体に連結されている。低強度連結部１０９は、軸方向の引張力を加えることにより容易に破断可能な程度に断面が小さく絞られている。連結部材１０８には、第１ケース体４１の底壁７１から内向きに突設されたカシメピン１１０に対応する挿通孔１１１が形成されており、カシメピン１１０の熱カシメにより第１ケース体４１に対して取り外し不能に固定されている。即ち、各封止係合部材９３は、この連結部材１０８を介して第１ケース体４１の底壁７１の内面側に固定されている。
【００５１】
封止係合部材９３は、連結部材１０８により第１ケース体４１に固定されている状態では、封止案内枠９１内の操作前位置にある封止操作部材９２の内側で押圧傾斜面９２ｆと被押圧傾斜面９３ｂとの端部同士が互いに当接又は近接する位置（以下、「封止前位置」という）にある（図８（ａ））。そして、その状態から封止操作部材９２が内向きに押圧されると、封止係合部材９３は封止実行方向に押されるが、その引張力によって低強度連結部１０９が破断し、封止係合部材９３は連結部材１０８から切り離される。そして、封止操作部材９２が操作後位置に達したときに封止係合部材９３は所定の「封止後位置」に到達する（図８（ｂ））。
【００５２】
第１被係合部９４は、封止係合部材９３が封止前位置から封止後位置まで移動したときに係合ピン１０４に係合するものである。第１被係合部９４は、図６、図８、図９等に示すように、第１ケース体４１の底壁７１の内面側に、外部から容易に損壊可能な第１低強度部１１２を介して一体に立設されている。第１被係合部９４には、封止実行方向に貫通する第１係合孔１１３が係合ピン１０４に対応して設けられており、封止係合部材９３が封止前位置から封止後位置まで移動したとき、係合ピン１０４が第１係合孔１１３に貫通するようになっている。なお、第１被係合部９４は、係合ピン１０４が貫通したとき、主制御基板２３と平行な面内（開閉スライド方向と封止実行方向とで形成される平面内）での封止係合部材９３の揺動を規制するようになっている。なお、第１低強度部１１２は、例えば第１被係合部９４の立設位置に対応して底壁７１に設けられた薄肉部により構成されている。
【００５３】
第１規制部９５は、封止係合部材９３が封止前位置から封止後位置まで移動したときに封止係合部材９３に対して第１被係合部９４とは異なる位置に係合するものである。第１規制部９５は、図６、図８、図９等に示すように、第１ケース体４１の底壁７１の内面側で且つ第１被係合部９４とは封止実行方向にずれた位置に一体に立設されており、封止後位置にある封止係合部材９３の係合ピン１０４の圧入先端部１０７に対して開閉スライド方向のアンロック側（開口５６側）に係合するようになっている。
【００５４】
第２被係合部９６は、封止係合部材９３が封止前位置から封止後位置まで移動したときに係合ピン１０４に係合するものである。第２被係合部９６は、図６、図８、図９等に示すように、第２ケース体４２の封止側上壁５１ｂの内面側に、外部から容易に損壊可能な第２低強度部１１４を介して一体に立設されている。第２被係合部９６には、封止実行方向に貫通する第２係合孔１１５が係合ピン１０４に対応して設けられており、封止係合部材９３が封止前位置から封止後位置まで移動したとき、係合ピン１０４が第２係合孔１１５に貫通するようになっている。なお、第２被係合部９６は、係合ピン１０４が貫通したとき、主制御基板２３と平行な面内（開閉スライド方向と封止実行方向とで形成される平面内）での封止係合部材９３の揺動を規制するようになっている。第２低強度部１１４は、例えば第２被係合部９６の立設位置に対応して封止側上壁５１ｂに設けられた薄肉部により構成されている。
【００５５】
第２規制部９７は、封止係合部材９３が封止前位置から封止後位置まで移動したときに封止係合部材９３に対して第２被係合部９６とは異なる位置に係合するものである。第２規制部９７は、図６、図８、図９等に示すように、第２ケース体４２の封止側上壁５１ｂの内面側で且つ第２被係合部９６とは封止実行方向にずれた位置に一体に立設されており、封止後位置にある封止係合部材９３に対して開閉スライド方向のロック側（仕切り壁５７側）に係合するようになっている。
【００５６】
主基板ケース２４を組み立てる際には、まず第２ケース体４２の内側に主制御基板２３を装着・固定すると共に、封止操作部材９２を第２ケース体４２側の封止案内枠９１に内側から装着して操作前位置に保持させる。また、２つの封止係合部材９３が連結された連結部材１０８の挿通孔１１１をカシメピン１１０に挿通させた状態でカシメピン１１０の先端側を熱カシメ具により押し潰し、これによって２つの封止係合部材９３を第１ケース体４１側の封止前位置に固定しておく。なお、封止前位置に保持されている封止係合部材９３は、その圧入先端部１０７の先端側のごく一部のみが第１被係合部９４の第１係合孔１１３に掛かった状態となっている。
【００５７】
そして、第２ケース体４２の一対の係合突部６５を第１ケース体４１の被係合穴８３に差し込んだ後（図７（ａ））、第２ケース体４２の係合爪６６を第１ケース体４１の切り欠き部８１に嵌合させてアンロック状態に嵌め合わせ（図７（ｂ））、更に第２ケース体４２と第１ケース体４１とを互いに相対的にスライドさせて、第２ケース体４２側の係合爪６６を第１ケース体４１側の係止部８２に係合させ、第１ケース体４１と第２ケース体４２とを結合状態でロックする（図７（ｃ））。これにより、第１ケース体４１側の第１被係合部９４と第２ケース体４２側の第２被係合部９６とが封止実行方向に重なり、第１係合孔１１３と第２係合孔１１５とが封止実行方向に連通した状態となる（図８（ａ））。
【００５８】
続いて、複数（２組）の封止手段４３のうちの１つを用いて主基板ケース２４をこのロック状態で封止する。即ち、ドライバー等の工具を用いて２つの封止操作部材９２の一方を一番奥の操作後位置まで押し込む（図８（ａ）→（ｂ））。このとき、封止操作部材９２の押圧傾斜面９２ｆが封止係合部材９３の被押圧傾斜面９３ｂに摺接してこれを押圧するため、その引張力によって低強度連結部１０９が破断し、封止係合部材９３は第１ケース体４１から切り離された状態で封止実行方向に押し動かされる。
【００５９】
なお、上述したように封止係合部材９３は封止前位置において圧入先端部１０７の先端側の一部が第１被係合部９４の第１係合孔１１３に掛かった状態となっているため（図８（ａ））、連結部材１０８から切り離されてもその第１被係合部９４に案内されて封止実行方向から外れることはない。
【００６０】
そして、封止係合部材９３は、封止実行方向に移動するに従って係合ピン１０４が第１被係合部９４の第１係合孔１１３、第２被係合部９６の第２係合孔１１５の順に貫通し、封止後位置に達したとき、第１規制部９５が封止係合部材９３の係合ピン１０４の圧入先端部１０７に対して開閉スライド方向のアンロック側（開口５６側）に係合し、また第２規制部９７が封止係合部材９３に対して開閉スライド方向のロック側（仕切り壁５７側）に係合する（図９、図１０）。
【００６１】
このように、第１ケース体４１側の第１被係合部９４と第２ケース体４２側の第２被係合部９６との両方に対して封止係合部材９３の係合ピン１０４が封止実行方向に貫通するため、第１ケース体４１と第２ケース体４２とは開閉スライド方向のアンロック側への相対的な移動が阻止され、そのままでは主基板ケース２４を開封することはできない。
【００６２】
また、例えば第１ケース体４１と第２ケース体４２との境界部分をこじ開けるなどして強引に隙間を作り、封止係合部材９３を封止前状態側にスライドさせようとしても、押圧傾斜面９２ｆと被押圧傾斜面９３ｂとは封止実行方向よりも封止操作方向寄りの傾斜角度となるように設けられており、しかも封止操作部材９２は第２突起１０２が封止案内枠９１の切欠部９９に係合することにより操作後位置で保持されているため、封止操作時のような軽い力では封止操作部材９２を操作前位置側に移動させることができず、そのような不正行為は実質的に困難である。
【００６３】
主基板ケース２４を開封するには、第１低強度部１１２と第２低強度部１１４とを共に損壊して第１被係合部９４と第２被係合部９６とを第１ケース体４１、第２ケース体４２から切り離せばよい（図１１、図１２）。これにより、封止係合部材９３は第１ケース体４１と第２ケース体４２との何れからも完全に切り離された状態となるため、第１ケース体４１と第２ケース体４２とをアンロック側に相対的にスライドさせることができ、主基板ケース２４を開封することができる。
【００６４】
なお、第１低強度部１１２と第２低強度部１１４とのうちの一方のみを損壊しただけでは主基板ケース２４を開封することはできない。即ち、例えば第１低強度部１１２のみを損壊した場合、第１被係合部９４が第１ケース体４１から切り離されるが、依然として封止係合部材９３は第２被係合部９６により揺動不能に保持され、しかも第１規制部９５が封止係合部材９３の係合ピン１０４の圧入先端部１０７に対して開閉スライド方向のアンロック側（開口５６側）に係合しているため、第１ケース体４１と第２ケース体４２との開閉スライド方向のアンロック側への相対的な移動が阻止された状態は解消されない。
【００６５】
また、第２低強度部１１４のみを損壊した場合についても、第２被係合部９６は第２ケース体４２から切り離されるが、依然として封止係合部材９３は第１被係合部９４により揺動不能に保持され、しかも第２規制部９７が封止係合部材９３に対して開閉スライド方向のロック側（仕切り壁５７側）に係合しているため、同じく第１ケース体４１と第２ケース体４２との開閉スライド方向のアンロック側への相対的な移動が阻止された状態は解消されない。
【００６６】
なお、本発明が想定する基板ケースは、主制御基板２３を収容するための基板ケース２４に限られず、副制御基板（例えば、サブ制御基板、演出制御基板）あるいは発射制御基板などの他の基板を収容するための基板ケースも含まれる。
【００６７】
また、本発明が想定する基板ケースは、第１ケース体４１と第２ケース体４２とがスライド式に相対移動する構成のものに限られない。例えば、第１ケース体４１と第２ケース体４２とを上下方向に接近させて固定具等（例えばネジやビス、カシメピンなど）により相互に嵌め合わせて構成されるタイプ（嵌め合わせ式）の基板ケースも含まれる。また、スライド式の基板ケースにおいてスライド構造も何ら限定するものではなく全てのスライド構造のものに適用される。また、嵌め合わせ式の基板ケースにおいて固着具の種類・構成を何ら限定するものではなく全ての固着具を備えた基板ケースに適用される。
【００６８】
（発明の要部）
遊技機は、本発明の要部である開封痕跡付与手段が設けられている。具体的には、開封痕跡付与手段は、着色付与の観点から、第１ケース体４１と第２ケース体４２とが開封されたことの痕跡を示すための手段である。以下、各実施例にわけて、開封痕跡付与手段の構成及び作用効果を説明する。
【００６９】
なお、本発明の要部である開封痕跡付与手段は、パチンコ機あるいはスロットマシン機等に代表される遊技機であって基板ケースを備える全てのものに適用される。また、本発明の要部は、上記した特有の封止構造（例えば、封止手段４３、封止案内枠９１、封止操作部材９２等）が設けられている基板ケースに限って適用されるものではなく、他の特有の封止構造が設けられている基板ケース、あるいは特有の封止構造が一切設けられていない基板ケースにも広く適用されるものである。さらに、本発明の要部である開封痕跡付与手段は、主制御基板２３を収容する主基板ケース２４だけに適用されるものではなく、副制御基板（例えば、サブ制御基板、演出制御基板）あるいは発射制御基板などの他の基板を収容するための基板ケースにも適用される。
【００７０】
（第１実施例）
本発明の開封痕跡付与手段の第１実施例を説明する。第１実施例は、第１ケース体４１と第２ケース体４２とが相互に水平方向に沿ってスライドして嵌め合わされる構成に適用される。
【００７１】
図１３に示すように、第１ケース体４１の接合面４１ａには、凹部状の収容部１２０が形成されている。収容部１２０には、着色物（例えば、インクや着色水などの液体状のもの）１２２が貯溜されている。着色物１２２は水性又は油性のものが適用され、赤色、青色、黒色など様々な色のものが使用される。収容部１２０は、第１ケース体４１と第２ケース体４２とが着脱するときに第１ケース体４１と第２ケース体４２とが接合する接合面となり得る位置に形成されている。当該接合面では、第１ケース体４１と第２ケース体４２とが着脱する際に、第１ケース体４１と第２ケース体４２とが相互に摺接する。第１ケース体４１に収容部１２０が形成されている構成では、第２ケース体４２の接合面４２ａには収容部が形成されておらず、第２ケース体４２の接合面４２ａが平坦面になっている。
【００７２】
第１実施例によれば、収容部１２０に着色物１２２が溜められた状態で、第１ケース体４１と第２ケース体４２とを相互にスライドさせて接合させる。このとき、収容部１２０の容積よりも着色物１２２の体積が小さくなるようにすることが好ましい。収容部１２０の容積よりも着色物１２２の体積が小さくなると、収容部１２０を着色物１２２で満たされることはなく、収容部１２０に所定の空間部１２４が形成される。このため、第１ケース体４１と第２ケース体４２とを相互にスライドさせて接合させるときに、第１ケース体４１の僅かな揺れなどにより、着色物１２２が収容部１２０から漏れ出したり、あるいは他の部位に付着することを防止でき、ひいては第１ケース体４１と第２ケース体４２との接合作業が容易になる。
【００７３】
図１３（ａ）に示すように、第１ケース体４１と第２ケース体４２とを相互に嵌め合わせた状態では、第２ケース体４２の接合面４２ａにより収容部１２０の開口が閉塞される。これにより、収容部１２０の着色物１２２が外部に漏出することを防止できる。そして、当該主基板ケース２４を遊技機に取り付ける。このとき、主基板ケース２４を傾けたり、あるいは遊技機に取り付けられて基板ケース２４の姿勢が変更されれば、着色物１２２が第２ケース体４２の接合面４２ａ側に付着する。このように、主制御基板２３を収容した主基板ケース２４が垂直に傾けられて正規に遊技機に組み付けられている状態では、着色物１２２が第２ケース体４２の接合面４２ａ側に付着し続ける。
【００７４】
一方、図１３（ｂ）に示すように、不正行為が行われて、主基板ケース２４を開封するために第１ケース体４１と第２ケース体４２とが相対的に水平方向に沿ってスライド（図１３（ｂ）中矢印Ｙ方向）すると、第２ケース体４２の接合面４２ａに付着した着色物１２２が第１ケース体４１の接合面４１ａ（収容部１２０以外の部位）に転写される。そして、第１ケース体４１の接合面４１ａ（収容部以外の部位）には、着色物１２２の転写痕（着色跡）が形成される。
【００７５】
このようにして、第１実施例によれば、不正行為において第１ケース体４１及び第２ケース体４２を水平方向に沿ってスライドさせて開封させたときに、収容部１２０に貯溜されていた着色物１２２が収容部１２０とは別の部位に付着するため、不正行為（不正開封行為）の痕跡が確実に残る。また、主基板ケース２４を構成する第１ケース体４１又は第２ケース体４２のいずれか一方に収容部１２０を形成し着色物１２２を収容するだけで不正行為の痕跡を残す手段を容易に構成することができる。また、第１ケース体４１と第２ケース体４２の両方に相互に連通する収容部１２０をそれぞれ形成する場合と比較して、収容部１２０を形成するための主基板ケース２４の加工が容易になり（収容部１２０を形成するために主基板ケース２４の高い加工精度が要求されない）、かつ部品点数も増加しない。
【００７６】
なお、第２ケース体４２の接合面４２ａに着色物１２２が貯溜される収容部が形成され、第１ケース体４１の接合面４１ａが平坦面に形成されている構成でもよい。また、第１ケース体４１及び第２ケース体４２の接合面の両方に相互に連通する収容部がそれぞれ形成されていてもよい。また、着色物１２２は、インクに限られるものではない。液体状のものに限られるものではなく、色として人間が判別できるものであれば、着色物として様々な物を広く用いることができる。
【００７７】
（第２実施例）
本発明の開封痕跡付与手段の第２実施例を説明する。第２実施例は、第１ケース体４１と第２ケース体４２とが相互に水平方向に沿ってスライドして嵌め合わされる構成に適用される。
【００７８】
図１４に示すように、第１ケース体４１には、着色物１２２を充填した収容部１２０が設けられている。収容部１２０は、例えば、ゴム製や樹脂製の軟質性の袋状部材・箱状部材（例えば、カプセル）や第１ケース体４１側に予め一体形成された硬質性の区画部で構成される。収容部１２０は、第１ケース体４１と独立して取扱い可能に構成されていてもよいし、第１ケース体４１に一体形成されていてもよい。なお、収容部１２０の内部に収容されている着色物１２２の具体例は、第１実施例と同じである。
【００７９】
第２ケース体４２には、収容部１２０の表面を貫通して収容部の内部に進入する貫通部１２６が設けられている。貫通部１２６には、尖端部１２６ａが形成されている。第１ケース体４１と第２ケース体４２が相対的に水平方向に沿ってスライドして両者が嵌め合わされる過程において、貫通部１２６は収容部１２０の表面を突き破り、尖端部１２６ａが収容部１２０の内部に位置するようになる。
【００８０】
第２実施例によれば、図１４（ａ）に示すように、第１ケース体４１と第２ケース体４２が相対的に水平方向に沿ってスライド（図１４中矢印Ｘ方向）していくと、貫通部１２６の尖端部１２６ａが収容部１２０に当接して収容部１２０の表面を突き破る。そして、図１４（ｂ）に示すように、第１ケース体４１と第２ケース体４２が嵌め合わされた状態では、尖端部１２６ａが収容部１２０の内部に位置することになる。このとき、収容部１２０の表面には貫通孔１２０ａが形成されるが、貫通孔１２０ａには貫通部１２６が貫通した状態であるため、収容部１２０に収容されている着色物１２２が収容部１２０の外部に漏れ出さない。すなわち、収容部１２０の貫通孔１２０ａが貫通部１２６によって閉塞された状態になっているため、着色物１２２は収容部１２０の内部に留まる。この結果、主基板ケース２４の姿勢を自在に替えて遊技機に正規に取り付けた場合でも、収容部１２０から着色物１２２が外部に漏れ出すことを防止できる。
【００８１】
一方、図１４（ｃ）に示すように、不正行為が行われて、主基板ケース２４を開封するために第１ケース体４１と第２ケース体４２とが相対的に水平方向に沿ってスライド（図１４（ｃ）中矢印Ｙ方向）すると、貫通部１２６が収容部１２０から引き抜かれる。これにより、収容部１２０の貫通孔１２０ａが開放される。そして、収容部１２０の貫通孔１２０ａから着色物１２２が外部に漏出する。これにより、第１ケース体４１の内部には、収容部１２０から漏れ出た着色物１２２が付着する。また、第２ケース体４２の貫通部１２６にも着色物１２２が付着する。
【００８２】
このようにして、第２実施例によれば、不正行為において第１ケース体４１及び第２ケース体４２を相互に水平方向に沿ってスライド（図１４（ｃ）中矢印Ｙ方向）させて開封させたときに、収容部１２０に収容されていた着色物１２２が第１ケース体４１の内部及び第２ケース体４２の貫通部１２６に付着するため、不正行為（不正開封行為）の痕跡が確実に残る。また、主基板ケース２４を構成する第１ケース体４１又は第２ケース体４２のいずれか一方に着色物１２２を収容した収容部１２０を設け、第１ケース体４１又は第２ケース体４２のいずれか他方に貫通部１２６を設けるだけで不正行為の痕跡を残す手段を容易に構成することができる。特に、貫通部１２６と収容部１２０との間において精密な位置決めが要求されないため、主基板ケース２４の加工が容易になり、かつ部品点数も大きく増加しない。
【００８３】
なお、第１ケース体４１側に収容部１２０が設けられ、第２ケース体４２側に貫通部１２６が設けられている構成に限られるものではなく、例えば、第１ケース体４１側に貫通部１２６が設けられ、第２ケース体４２側に収容部１２０が設けられている構成も採用できる。
【００８４】
（第３実施例）
本発明の開封痕跡付与手段の第３実施例を説明する。第３実施例は、第１ケース体４１と第２ケース体４２とが相互に水平方向に沿ってスライドして嵌め合わされる構成に適用される。
【００８５】
図１５に示すように、第１ケース体４１には、着色物１２２を充填した収容部１２０が設けられている。収容部１２０は、例えば、ゴム製や樹脂製の軟質性の袋状部材・箱状部材（例えば、カプセル）や第１ケース体４１側に予め一体形成された硬質性の区画部で構成される。収容部１２０は、第１ケース体４１と独立して取扱い可能に構成されていてもよいし、第１ケース体４１に一体形成されていてもよい。また、収容部１２０には、流出孔１２０ｃが形成されている。当該流出孔１２０ｃが開放されている場合には、着色物１２２が流出孔１２０ｃを通って収容部１２０の内部から外部に流出する。流出孔１２０ｃには、栓部材１２０ｂが圧入されている。栓部材１２０ｂは、弾性あるいは可撓性を有する材質（例えば、ゴムなど）で構成されている。栓部材１２０ｂが流出孔１２０ｃに圧入されている場合には流出孔１２０ｃが閉塞されており、着色物１２２が収容部１２０の外部に流出しない。なお、収容部１２０の内部に収容されている着色物１２２の具体例は、第１実施例と同じである。
【００８６】
第２ケース体４２には、収容部１２０の流出孔１２０ｃを貫通して収容部の内部に進入する突部１２０が設けられている。突部１２８の先端部は、尖っている構成でもよいし、尖っていない構成でもよい。突部１２８は、樹脂・プラスチック・金属など所定の剛性を有する材質で構成されることが好ましい。第１ケース体４１と第２ケース体４２が相対的に水平方向に沿ってスライドして両者が嵌め合わされる過程において、突部１２８は流出孔１２０ｃの栓部材１２０ｂを収容部１２０の内部に突き落とし、突部１２８の先端部が収容部１２０の内部に位置するようになる。この場合、栓部材１２０ｂが収容部１２０の内部に突き落とされると、流出孔１２０ｃには突部１２８が貫通した状態になるため、流出孔１２０ｃが開放しない。この結果、着色物１２２が収容部１２０の外部に流出しない。
【００８７】
突部１２８の寸法は、流出孔１２０ｃの開口寸法と比較して、同じかあるいは若干大きくなるように設定されている。突部１２８の寸法が流出孔１２０ｃの開口寸法と比較して若干大きくなるように設定されている場合には、突部１２８が流出孔１２０ｃに圧入される。このように、突部１２８が流出孔１２０ｃに貫通し、当該貫通状態を維持している状態では、突部１２８の外周面と流出孔１２０ｃの内壁との間に隙間が生じることはなく、着色物１２２が収容部１２０の外部に流出しない。
【００８８】
第３実施例によれば、図１５（ａ）に示すように、第１ケース体４１と第２ケース体４２が相対的に水平方向に沿ってスライド（図１５（ａ）中矢印Ｘ方向）していくと、突部１２８の先端部が栓部材１２０ｂに当接して押圧する。そして、図１５（ｂ）に示すように、第１ケース体４１と第２ケース体４２が嵌め合わされた状態では、栓部材１２０ｂが突部１２８に押圧されて流出孔１２０ｃから収容部１２０の内部に突き落とされ、突部１２８の先端部が収容部１２０の内部に位置する。このとき、収容部１２０の流出孔１２０ｃは、上記した理由により、突部１２８により閉塞されているため、収容部１２０に収容されている着色物１２２が流出孔１２０ｃから収容部１２０の外部に漏れ出さない。この結果、主基板ケース２４の姿勢を自在に替えて遊技機に正規に取り付けた場合でも、収容部１２０から着色物１２２が外部に漏れ出すことを防止できる。
【００８９】
一方、図１５（ｃ）に示すように、不正行為が行われて、主基板ケース２４を開封するために第１ケース体４１と第２ケース体４２とが相対的に水平方向に沿ってスライド（図１５（ｃ）中矢印Ｙ方向）すると、突部１２８が収容部１２０から引き抜かれる。これにより、収容部１２０の流出孔１２０ｃが開放される。なお、栓部材１２０ｂは、収容部１２０の内部に落下した状態のままである。そして、収容部１２０の流出孔１２０ｃから着色物１２２が外部に放出する。これにより、第１ケース体４１の内部には、収容部１２０から漏れ出た着色物１２２が付着する。また、第２ケース体４２の突部１２８にも着色物１２２が付着する。
【００９０】
このようにして、第３実施例によれば、不正行為において第１ケース体４１及び第２ケース体４２を相互に水平方向に沿ってスライド（図１５（ｃ）中矢印Ｙ方向）させて開封させたときに、収容部１２０に収容されていた着色物１２２が第１ケース体４１の内部及び第２ケース体４２の突部１２８に付着するため、不正行為（不正開封行為）の痕跡が確実に残る。また、主基板ケース２４を構成する第１ケース体４１又は第２ケース体４２のいずれか一方に着色物１２２を収容した収容部１２０を設け、第１ケース体４１又は第２ケース体４２のいずれか他方に突部１２８を設けるだけで不正行為の痕跡を残す手段を容易に構成することができる。
【００９１】
なお、第１ケース体４１側に収容部１２０が設けられ、第２ケース体４２側に突部１２８が設けられている構成に限られるものではなく、例えば、第１ケース体４１側に突部１２８が設けられ、第２ケース体４２側に収容部１２０が設けられている構成も採用できる。
【００９２】
（第４実施例）
本発明の開封痕跡付与手段の第４実施例を説明する。第４実施例は、第１実施例での第１ケース体４１と第２ケース体４２との相対移動方向を変えたものであり、第１ケース体４１と第２ケース体４２とが相互に上下方向（離間する方向）に沿って移動して嵌め合わされる構成に適用される。なお、第１実施例と重複する構成の説明は、省略する。
【００９３】
図１６に示すように、第４実施例によれば、収容部１２０に着色物１２２が溜められた状態で、第１ケース体４１と第２ケース体４２とを上下方向に沿って近接させて相互に接合させる（図１６（ａ）中矢印Ｓ方向）。このとき、収容部１２０の容積よりも着色物１２２の体積が小さくなるようにすることにより、第１ケース体４１と第２ケース体４２との接合作業が容易になる。
【００９４】
図１６（ｂ）に示すように、第１ケース体４１と第２ケース体４２とを相互に嵌め合わせた状態では、第２ケース体４２の接合面４２ａにより収容部１２０の開口が閉塞される。これにより、収容部１２０の着色物１２２が外部に漏出することを防止できる。
【００９５】
図１６（ａ）、（ｂ）に示すように、第１ケース体４１と第２ケース体４２とを相互に嵌め合わせた後、主基板ケース２４を遊技機に取り付ける。このとき、主基板ケース２４を傾けたり、あるいは遊技機に取り付けられて主基板ケース２４の姿勢が変更されれば、着色物１２２が第２ケース体４２の接合面４２ａ側に付着する。このように、主制御基板２３を収容した主基板ケース２４が垂直に傾けられて正規に遊技機に組み付けられている状態では、着色物１２２が第２ケース体４２の接合面４２ａ側に付着し続ける。
【００９６】
一方、図１６（ｃ）に示すように、不正行為が行われて、主基板ケース２４を開封するために第１ケース体４１と第２ケース体４２とが相対的に上下方向に沿って離間する方向（図１６（ｃ）中矢印Ｔ方向）に移動すると、第２ケース体４２の接合面４２ａに着色物１２２が付着した状態になる。このとき、第１ケース体４１を傾斜させたならば、第１ケース体４１の内部（収容部以外の部位）には、収容部１２０から漏出した着色物１２２が付着する。
【００９７】
このようにして、第４実施例によれば、不正行為において第１ケース体４１及び第２ケース体４２を上下方向に沿って離間する方向に移動させて開封させたときに、収容部１２０に貯溜されていた着色物１２２が収容部１２０とは別の部位に付着するため、不正行為（不正開封行為）の痕跡が確実に残る。
【００９８】
なお、第２ケース体４２の接合面４２ａに着色物１２２が貯溜される収容部が形成され、第１ケース体４１の接合面４１ａが閉塞部となる構成でもよい。また、第１ケース体４１及び第２ケース体４２の接合面の両方に相互に連通する収容部がそれぞれ形成されていてもよい。
【００９９】
（第５実施例）
本発明の開封痕跡付与手段の第５実施例を説明する。第５実施例は、第２実施例での第１ケース体４１と第２ケース体４２との相対移動方向を変えたものであり、第１ケース体４１と第２ケース体４２とが相互に上下方向（離間する方向）に沿って移動して嵌め合わされる構成に適用される。なお、第２実施例と重複する構成の説明は、適宜省略する。
【０１００】
図１７に示すように、第１ケース体４１には、着色物１２２を充填した収容部１２０が設けられている。収容部１２０は、例えば、ゴム製や樹脂製の軟質性の袋状部材・箱状部材（例えば、カプセル）や第１ケース体４１側に予め一体形成された硬質性の区画部で構成される。
【０１０１】
第２ケース体４２には、収容部１２０を貫通して収容部１２０の内部に進入する貫通部１２６が設けられている。貫通部１２６には、尖端部１２６ａが形成されている。第１ケース体４１と第２ケース体４２が相対的に上下方向に沿って近接方向に移動して両者が嵌め合わされる過程において、貫通部１２６は収容部１２０の表面を突き破り、尖端部１２６ａが収容部１２０の内部に位置するようになる。
【０１０２】
第５実施例によれば、図１７（ａ）に示すように、第１ケース体４１と第２ケース体４２が相対的に上下方向に沿って近接する方向（図１７（ａ）中矢印Ｓ方向）に移動していくと、貫通部１２６の尖端部１２６ａが収容部１２０に当接し収容部１２０の表面を突き破る。そして、図１７（ｂ）に示すように、第１ケース体４１と第２ケース体４２が嵌め合わされた状態では、尖端部１２６ａが収容部１２０の内部に位置することになる。このとき、収容部１２０の表面には貫通孔１２６ａが形成されるが、貫通孔１２６ａには貫通部１２６が貫通した状態であるため、収容部１２０に収容されている着色物１２２が収容部１２０の外部に漏れ出さない。すなわち、収容部１２０の貫通孔１２６ａが貫通部１２６によって閉塞された状態になっているため、着色物１２２は収容部１２０の内部に留まる。この結果、主基板ケース２４の姿勢を自在に替えて遊技機に正規に取り付けた場合でも、収容部１２０から着色物１２２が外部に漏れ出すことを防止できる。
【０１０３】
一方、図１７（ｃ）に示すように、不正行為が行われて、主基板ケース２４を開封するために第１ケース体４１と第２ケース体４２とが相対的に上下方向に沿って離間する方向（図１７（ｃ）中矢印Ｔ方向）に移動すると、貫通部１２６が収容部１２０から引き抜かれる。これにより、収容部１２０の貫通孔１２０ａが開放される。そして、収容部１２０の貫通孔１２０ａから着色物１２２が外部に放出する。これにより、第１ケース体４１の内部には、収容部１２０から漏れ出た着色物１２２が付着する。また、第２ケース体４２の貫通部１２６にも着色物１２２が付着する。
【０１０４】
このようにして、第５実施例によれば、不正行為において第１ケース体４１及び第２ケース体４２を上下方向に沿って離間する方向（図１７（ｃ）中矢印Ｔ方向）に移動させて開封させたときに、収容部１２０に収容されていた着色物１２２が第１ケース体４１の内部及び第２ケース体４２の貫通部１２６に付着するため、不正行為（不正開封行為）の痕跡が確実に残る。
【０１０５】
なお、第１ケース体４１側に収容部１２０が設けられ、第２ケース体４２側に貫通部１２６が設けられている構成に限られるものではなく、例えば、第１ケース体４１側に貫通部が設けられ、第２ケース体４２側に収容部が設けられている構成も採用できる。
【０１０６】
（第６実施例）
本発明の開封痕跡付与手段の第６実施例を説明する。第６実施例は、第３実施例での第１ケース体４１と第２ケース体４２との相対移動方向を変えたものであり、第１ケース体４１と第２ケース体４２とが相互に上下方向（離間する方向）に沿って移動して嵌め合わされる構成に適用される。なお、第３実施例と重複する構成の説明は、適宜省略する。
【０１０７】
図１８に示すように、第１ケース体４１には、着色物１２２を充填した収容部１２０が設けられている。また、収容部１２０には、流出孔１２０ｃが形成されている。当該流出孔１２０ｃが開放されている場合には、着色物１２２が流出孔１２０ｃを通って収容部１２０の内部から外部に流出する。流出孔１２０ｃには、栓部材１２０ｂが圧入されている。
【０１０８】
第２ケース体４２には、収容部１２０の流出孔１２０ｃを貫通して収容部の内部に進入する突部１２８が設けられている。第１ケース体４１と第２ケース体４２が相対的に上下方向に沿って接近する方向に移動して両者が嵌め合わされる過程において、突部１２８は流出孔１２０ｃの栓部材１２０ｂを収容部１２０の内部に突き落とし、突部１２８の先端部が収容部１２０の内部に位置するようになる。この場合、栓部材１２０ｂが収容部１２０の内部に突き落とされると、流出孔１２０ｃには突部１２８が貫通した状態になるため、流出孔１２０ｃが開放しない。この結果、着色物１２２が収容部１２０の外部に流出しない。
【０１０９】
第６実施例によれば、図１８（ａ）に示すように、第１ケース体４１と第２ケース体４２が相対的に上下方向に沿って接近する方向（図１８（ａ）中矢印Ｓ方向）に移動していくと、突部１２８の先端部が栓部材１２０ｂに当接して押圧する。そして、図１８（ｂ）に示すように、第１ケース体４１と第２ケース体４２が嵌め合わされた状態では、栓部材１２０ｂが突部１２８に押圧されて流出孔１２０ｃから収容部１２０の内部に突き落とされ、突部１２８の先端部が収容部１２０の内部に位置する。このとき、収容部１２０の流出孔１２０ｃは、上記した理由により、突部１２８により閉塞されているため、収容部１２０に収容されている着色物１２２が収容部１２０の外部に漏れ出さない。この結果、主基板ケース２４の姿勢を自在に替えて遊技機に正規に取り付けた場合でも、収容部１２０から着色物１２２が外部に漏れ出すことを防止できる。
【０１１０】
一方、図１８（ｃ）に示すように、不正行為が行われて、主基板ケース２４を開封するために第１ケース体４１と第２ケース体４２とが相対的に上下方向に沿って離間する方向（図１８（ｃ）矢印Ｙ方向）に移動すると、突部１２８が収容部１２０から引き抜かれる。これにより、収容部１２０の流出孔１２０ｃが開放される。そして、収容部１２０の流出孔１２０ｃから着色物１２２が外部に放出する。これにより、第１ケース体４１の内部には、収容部１２０から漏れ出た着色物１２２が付着する。また、第２ケース体４２の突部１２８にも着色物１２２が付着する。
【０１１１】
このようにして、不正行為において第１ケース体４１及び第２ケース体４２を相互に上下方向に沿って離間する方向（図１８（ｃ）中矢印Ｔ方向）に移動させて開封させたときに、収容部１２０に収容されていた着色物１２２が第１ケース体４１の内部及び第２ケース体４２の突部１２８に付着するため、不正行為（不正開封行為）の痕跡が確実に残る。
【０１１２】
なお、第１ケース体４１側に収容部１２０が設けられ、第２ケース体４２側に突部１２８が設けられている構成に限られるものではなく、例えば、第１ケース体４１側に突部が設けられ、第２ケース体４２側に収容部が設けられている構成も採用できる。
【０１１３】
（第７実施例）
本発明の開封痕跡付与手段の第７実施例を説明する。第７実施例は、第１ケース体４１と第２ケース体４２とが嵌め合わされて、かしめ構造により締結される構成に適用される。なお、第７実施例は、第１ケース体４１と第２ケース体４２とが相互に水平方向にスライドして接合・開封される態様と、上下方向に接近又は離間して接合・開封される態様と、の両方に適用される。
【０１１４】
図１９に示すように、第１ケース体４１には、かしめピン１３０が装着されるピン装着部４１ｂが形成されている。かしめピン１３０は、ヘッド部１３０ａと、胴部１３０ｂと、で構成されている。ヘッド部１３０ａがピン装着部４１ｂに保持された状態で、胴部１３０ｂが第２ケース体４２のピン孔４２ｂを貫通する。第２ケース体４２のピン孔４２ｂから突出した胴部１３０ｂの一部を工具（図示省略）などにより加圧して潰す（変形させる）。これにより、第１ケース体４１と第２ケース体４２とがかしめ構造により締結される。
【０１１５】
かしめピン１３０の内部には、収容物１３４（例えば、カプセルなど）が収容されている。収容物１３４には、着色物１２２が充填されている。なお、着色物１２２の具体例は、第１実施例の着色物と同じである。収容物１３４は、かしめピン１３０の内部に形成された孔状の収容ポケット１３６に収容される。収容物１３４が収容ポケット１３６に収容された状態で収容ポケット１３６の開口部が詰め部材１３０ｄにより閉塞される。
【０１１６】
ここで、収容物１３４及び着色物１２２は、かしめピン１３０の胴部１３０ｂの一部を工具により変形させたときに収容物１３４及び着色物１２２が外部に露出しないような部位に位置するように調整されている。
【０１１７】
第７実施例によれば、図１９（ａ）に示すように、第１ケース体４１及び第２ケース体４２が接合された状態でかしめピン１３０がピン装着部４１ｂに装着される。このとき、ヘッド部１３０ａがピン装着部４１ｂに保持され、胴部１３０ｂが第２ケース体４２のピン孔４２ｂを貫通し、胴部１３０ｂの一部がピン孔４２ｂから突出する。
【０１１８】
図１９（ｂ）に示すように、ピン孔４２ｂから突出した胴部１３０ｂの一部１３０ｃが工具等により加圧されて変形する。これにより、第１ケース体４１と第２ケース体４２とが相互に締結される。
【０１１９】
一方、不正行為が行われると、図１９（ｃ）に示すように、例えば、かしめピン１３０の変形した部位１３０ｃが切り落とされる。このとき、内部の収容物１３４が破損して、着色物１２２が外部に流出する。外部に流出した着色物１２２は、第１ケース体４１及び第２ケース体４２に付着する。
【０１２０】
このようにして、第７実施例では、不正行為において主基板ケース２４を開封するために、かしめピン１３０が切断された場合に、収容物１３４が破損して着色物１２２が第１ケース体４１及び第２ケース体４２に付着するため、不正行為（不正開封行為）の痕跡が確実に残る。特に、かしめピン１３０の内部に収容物１３４を予め収容したおくだけで足り、主基板ケース２４側には一切特別な加工を必要としないため、開封痕跡付与手段を容易に構成することができる。
【０１２１】
なお、着色物１２２が収容されている上記収容物１３４は、必須の構成ではない。例えば、かしめピン１３０の内部に凹部を形成し、当該凹部に着色物１２２を直接に充填させて構成したものでもよい。この態様では、収容物１３４が不要となる分だけ、部品点数を削減することができる。
【０１２２】
（第８実施例）
本発明の開封痕跡付与手段の第８実施例を説明する。第８実施例は、第７実施例のかしめピンに対して加圧の他に、加熱してかしめ構造を締結するものである。このため、第７実施例の説明と重複する説明は、適宜省略する。なお、第８実施例は、第１ケース体４１と第２ケース体４２とが相互に水平方向にスライドして接合・開封される態様と、上下方向に接近又は離間して接合・開封される態様と、の両方に適用される。
【０１２３】
第８実施例によれば、図２０（ａ）に示すように、第１ケース体４１及び第２ケース体４２が接合された状態でかしめピン１３０がピン装着部４１ｂに装着される。このとき、ヘッド部１３０ａがピン装着部４１ｂに保持され、胴部１３０ｂが第２ケース体４２のピン孔４２ｂを貫通し、胴部１３０ｂの一部がピン孔４２ｂから突出する。
【０１２４】
図２０（ｂ）に示すように、ピン孔４２ｂから突出した胴部１３０ｂの一部１３０ｃが工具等により加圧・加熱されて変形する。これにより、第１ケース体４１と第２ケース体４２とが相互に締結される。
【０１２５】
一方、不正行為が行われると、図２０（ｃ）に示すように、例えば、かしめピン１３０の変形した部位１３０ｃが切り落とされる。このとき、内部の収容物１３４が破損して、着色物１２２が外部に流出する。外部に流出した着色物１２２は、第１ケース体４１及び第２ケース体４２に付着する。
【０１２６】
このようにして、第７実施例では、不正行為において主基板ケース２４を開封するために、かしめピン１３０が切断された場合に、収容物１３４が破損して着色物１２２が第１ケース体４１及び第２ケース体４２に付着するため、不正行為（不正開封行為）の痕跡が確実に残る。特に、加熱によりかしめピン１３０の胴部１３０ｂの一部１３０ｃが溶け、再度固まるため、かしめ構造の締結後においてかしめピン１３０の形状が複雑になる。このため、不正行為においてかしめピン１３０が切断し難くなり、不正行為を抑制できる効果もある。
【０１２７】
なお、着色物１２２が収容されている上記収容物１３４は、必須の構成ではない。例えば、かしめピン１３０の内部に凹部を形成し、当該凹部に着色物１２２を直接に充填させて構成したものでもよい。この態様では、収容物１３４が不要となる分だけ、部品点数を削減することができる。
【０１２８】
次に、基板ケース２４の第１ケース体４１と第２ケース体４２とを相互に締結させるためのかしめ構造の種類について説明する。
【０１２９】
例えば、図２１に示すように、スピンかしめが知られている。スピンかしめでは、第１ケース体４１のフランジ部４１ｃ及び第２ケース体４２のフランジ部４２ｃに形成された穴４１ｄ、４２ｄにリベット１４０を挿入し、回転させたポンチ１４２によりリベット１４０の先端部を加圧変形させてかしめる。
【０１３０】
図２２に示すように、ハトメかしめが知られている。ハトメかしめでは、第１ケース体４１のフランジ部４１ｃ及び第２ケース体４２のフランジ部４２ｃに形成された穴４１ｄ、４２ｄにハトメ１４４を挿入し、プレス等によりハトメ１４４の先端部を加圧変形させてかしめる。
【０１３１】
図２３に示すように、リベットかしめが知られている。リベットかしめでは、第１ケース体４１のフランジ部４１ｃ及び第２ケース体４２のフランジ部４２ｃに形成された穴４１ｄ、４２ｄにリベット１４６を挿入し、プレス等によりリベット１４６の先端部を加圧変形させてかしめる。
【０１３２】
図２４に示すように、バーリングかしめが知られている。バーリングかしめでは、第１ケース体４１のフランジ部４１ｃにバーリング加工が施され、第２ケース体４２のフランジ部４２ｃに形成された穴４２ｄに、バーリング加工部１４８を挿入し、プレス等によりバーリング加工部１４８を加圧変形させてかしめる。
【０１３３】
図２５に示すように、ダボかしめが知られている。ダボかしめでは、第１ケース体４１のフランジ部４１ｃにダボ加工（半抜き加工）が施され、第２ケース体４２のフランジ部４２ｃに形成された穴４２ｄに、ダボ加工部１５０を挿入し、プレス等によりダボ加工部１５０を加圧変形させてかしめる。
【符号の説明】
【０１３４】
２３      主制御基板（基板）
２４      主基板ケース（基板ケース）
４１      第１ケース体
４２      第２ケース体
４２ａ    接合面（閉塞部）
１２０    収容部
１２０ｂ  栓部材
１２０ｃ  流出孔
１２２    着色物
１２６    貫通部
１２８    突部
１３０    かしめピン（かしめ部）
１３４    収容物
【図１】
2013121405.tif 000003
【図２】
2013121405.tif 000004
【図３】
2013121405.tif 000005
【図４】
2013121405.tif 000006
【図５】
2013121405.tif 000007
【図６】
2013121405.tif 000008
【図７】
2013121405.tif 000009
【図８】
2013121405.tif 000010
【図９】
2013121405.tif 000011
【図１０】
2013121405.tif 000012
【図１１】
2013121405.tif 000013
【図１２】
2013121405.tif 000014
【図１３】
2013121405.tif 000015
【図１４】
2013121405.tif 000016
【図１５】
2013121405.tif 000017
【図１６】
2013121405.tif 000018
【図１７】
2013121405.tif 000019
【図１８】
2013121405.tif 000020
【図１９】
2013121405.tif 000021
【図２０】
2013121405.tif 000022
【図２１】
2013121405.tif 000023
【図２２】
2013121405.tif 000024
【図２３】
2013121405.tif 000025
【図２４】
2013121405.tif 000026
【図２５】
2013121405.tif 000027